(57)【特許請求の範囲】
【請求項１】
記録ヘッドと、
前記記録ヘッドに対向した一方の面に画像を形成する画像形成層、他方の面に複数の線状体の並設するレンチキュラーレンズが形成されたレンズシートを、前記レンチキュラーレンズの線状体と同じ形状の係合部が形成された面上に、前記他方の面が置かれるように載置し、前記記録ヘッドの移動方向と直交する前記レンチキュラーレンズの前記線条体の長手方向に搬送されるトレイと、
前記トレイを支持して前記トレイの搬送方向をガイドするトレイ支持ガイドと、
を備えた記録装置であって、
前記トレイの前記トレイ支持ガイド側の面と、トレイ支持ガイドの前記トレイ側の面に、稜線方向が前記前記トレイの搬送方向になるような同一形状の線条体の部が形成されていることを特徴とする記録装置。
【発明の詳細な説明】
【技術分野】
【０００１】
本発明は、レンチキュラーレンズを有する記録媒体を記録装置に装填する際に用いる記
録媒体搬送用トレイおよびこの記録媒体搬送用トレイを備える記録装置に関する。
【背景技術】
【０００２】
記録層に重ねてレンチキュラーレンズを有し、記録層に記録された画像をレンチキュラ
ーレンズを介して、立体画像あるいは見る角度によって見える画像の形態等が変わる変り
絵画像として見ることができる記録媒体が従来から知られている。かかる記録媒体に記録
された画像を所定の立体画像あるいは変り絵画像として見ることができるようにするため
には、記録層への記録位置をレンチキュラーレンズのレンズ配列に精度良く対応させて行
う必要がある。そのため、例えば、特許文献１には、センサーを用いてレンチキュラーレ
ンズの位置を検出し、この検出結果に基づいて所望の位置に記録を行う手段が開示されて
いる。また、特許文献２には、搬送用トレイに載置された記録媒体がトレイ上で位置ずれ
しない対策を施し、記録位置の精度を高める手段が開示されている。
【０００３】
【特許文献１】特許第３４７１９３０号
【特許文献２】特開２００７−１３０７６９号
【発明の開示】
【発明が解決しようとする課題】
【０００４】
しかしながら、特許文献１の手段による場合は、センサーを備える必要がありコスト高
を招くと言う問題がある。また、特許文献２の手段による場合は、記録媒体の搬送用トレ
イに対する位置ずれを防止することはできるが、搬送用トレイが搬送方向に対して傾斜し
た状態で搬送されてしまう場合には、記録位置の精度を高めることができない。
【０００５】
そこで、本発明は、簡単な構成で記録位置の精度を上げることができる記録装置を提供
することを目的とする。
【課題を解決するための手段】
【０００６】
上記課題を解決するために、本発明は、レンチキュラーレンズを有する記録媒体が載置
され記録装置内を搬送される記録媒体搬送用トレイであって、所定ピッチのレンチキュラ
ーレンズを有する所定の記録媒体の所定ピッチのレンチキュラーレンズの線状方向に沿っ
て所定ピッチのレンチキュラーレンズに係合可能な係合部を有し記録装置に設けられるガ
イド部に対して係合し、ガイド部のガイドを受ける被ガイド部が一方の面に備えられるこ
ととする。
【０００７】
記録媒体搬送用トレイをこのように構成することで、記録媒体の搬送時の搬送方向を一
定に維持することができ、記録媒体への記録位置の精度を向上させることができる。
【０００８】
また、他の発明は、上述の発明に加えて、一方の面と反対側の面に記録媒体が載置され
、反対側の面には記録媒体が有するレンチキュラーレンズの線条方向に沿ってレンチキュ
ラーレンズに対して係合する係合部が備えられていることとする。
【０００９】
記録媒体搬送用トレイをこのように構成することで、記録媒体搬送用トレイに載置され
た記録媒体の搬送時の搬送方向を一定に維持することができ、記録媒体への記録位置の精
度を向上させることができる。
【００１０】
また、他の発明は、上述の発明に加えて、反対側の面に備えられる係合部は、所定ピッ
チのレンチキュラーレンズとは異なるピッチの他のレンチキュラーレンズを有する他の記
録媒体の他のレンチキュラーレンズの線条方向に沿って他のレンチキュラーレンズに対し
て係合することとする。
【００１１】
記録媒体搬送用トレイをこのように構成することで、他の記録媒体の搬送時の搬送方向
を一定に維持することができ、他の記録媒体への記録位置の精度を向上させることができ
る。
【００１２】
また、他の発明は、上述の発明に加えて、反対側の面に備えられる係合部は、ガイド部
と線状方向が異なることとする。
【００１３】
記録媒体搬送用トレイをこのように構成することで、他の記録媒体のレンチキュラーレ
ンズの線状方向が所定の記録媒体のレンチキュラーレンズの線状方向と異なる場合にも、
この他の記録媒体の搬送時の搬送方向を一定に維持することができ、他の記録媒体への記
録位置の精度を向上させることができる。
【００１４】
また、他の発明は、上述の発明に加えて、被ガイド部と係合部との間には、補強部材が
設けられていることとする。
【００１５】
記録媒体搬送用トレイの上下方向への撓みを押さえることができ、記録媒体への記録位
置の精度を向上させることができる。
【００１６】
また、他の発明は、上述の発明に加えて、他の記録媒体の少なくとも１つの側縁部に当
接する当接手段を備えることとする。
【００１７】
記録媒体搬送用トレイをこのように構成することで、他の記録媒体の位置決めをより確
実に行うことができ、また、当接手段によりレンチキュラーレンズを有しない記録媒体に
ついても位置決めを行うことができる。
【００１８】
また、他の発明は、上述の発明に加えて、係合部が設けられる他方の面には、他の記録
媒体を貼り付ける粘着手段が備えられていることとする。
【００１９】
記録媒体搬送用トレイをこのように構成することで、より確実に他の記録媒体の位置決
めを行うことができる。
【００２０】
上記課題を解決するために、本発明は、記録装置を、上述の記録媒体搬送用トレイを備
えたものとすることとする。
【００２１】
記録装置をこのように構成することで、記録媒体の搬送時の搬送方向を一定に維持する
ことができ、記録媒体への記録位置の精度を向上させることができる。
【発明の効果】
【００２２】
本発明によると、レンチキュラーレンズを有する記録媒体の搬送精度を簡単な構成で上
げることができる。
【発明を実施するための最良の形態】
【００２３】
（第１の実施の形態）
以下に、本発明の第１の実施の形態に係る記録媒体搬送用トレイ（以下、単にトレイと
記載する。）１００と記録装置２００について、図１および図２を参照しながら説明する
。
【００２４】
図１は、記録装置２００の概略の構成を示す概略構成図であり、記録装置２００を後方
から見た斜視図である。図１に示す記録装置２００は、トレイ１００を利用して他の記録
媒体としてのレンズシートＬ１が記録装置２００に装填された状態を示している。図２は
、トレイ１００の構成を解り易くするために、トレイ１００、レンズシートＬ１および記
録装置２００を別々に分けて描いた分解斜視図である。なお、図１において、記録装置２
００に装填されたレンズシートＬ１が進行する方向である矢印Ｘの方向を前方（前側）と
し、この反対方向を後方（後側）とする。また、後方から前方に向かって右手方向となる
矢印Ｙの方向を右方（右側）とし、この反対方向である左手方向を左方（左側）とする。
そして、矢印Ｚの方向を上方（上側）とし、この反対方向を下方（下側）として、以下
の説明を行うこととする。
【００２５】
記録装置２００は、外装体である筐体１と、レンズシートＬ１を載置するトレイ１００
と、このトレイ１００を下側から支持するトレイ支持ガイド２と、トレイ支持ガイド２の
上に載置されたトレイ１００を後方から前方に向けて搬送する給紙ローラ３および排紙ロ
ーラ４と、レンズシートＬ１に対して記録を行う記録ヘッド５等を有する。
【００２６】
レンズシートＬ１は、透明な樹脂シートの一方の面に他のレンチキュラーレンズとして
のレンチキュラーレンズ６が形成され、他方の面に画像形成層７が形成されている。この
レンズシートＬ１は、画像形成層７に記録された画像を、レンチキュラーレンズ６を介し
て視認することができるように構成されている。したがって、例えば、画像形成層７に、
レンチキュラーレンズ６の配設ピッチや焦点距離等に対応させて視差のある画像を記録し
、この画像をレンチキュラーレンズ６の側から視認すると、立体感のある画像として、あ
るいは見る角度によって異なる画像として視認することができるというものである。なお
、レンズシートＬ１は画像形成層７を形成することなく、レンチキュラーレンズ６が形成
される側と反対の面の樹脂部に直接記録を行う構成のものとしてもよい。
【００２７】
筐体１の後側の側面には、レンズシートＬ１が載置されたトレイ１００を筐体１内に供
給するための給紙開口部８が形成され、また、前側の側面には、給紙開口部８から供給さ
れたレンズシートＬ１が載置されているトレイ１００を排出する排紙開口部９が形成され
ている。給紙開口部８から記録装置２００に供給されたトレイ１００は、レンズシートＬ
１を載置したまま給紙ローラ３および排紙ローラ４により前方に向かって搬送され、記録
ヘッド５により記録が行われた後、排紙開口部９から記録装置２００の外部に排出される
。
【００２８】
トレイ支持ガイド２は、その上面であるトレイガイド面１０が、給紙ローラ３と排紙ロ
ーラ４の上部と略同一の高さとなる位置に配設されている。トレイ支持ガイド２は、全体
として矩形の板状体を呈し、前後方向が、給紙開口部８の後方に突出した位置から給紙ロ
ーラ３の手前の位置に亘って備えられている。また、左右の幅方向については、載置され
るトレイ１００を全幅に亘って支持できる幅となっている。トレイ支持ガイド２は、筐体
１、または内部のフレーム等の構造体に対して図示を省略する構成により取り付けられて
いる。
【００２９】
トレイ支持ガイド２は、樹脂等から形成される板状体から形成され、トレイガイド面１
０は、このトレイガイド面１０に載置されるトレイ１００の搬送方向をガイドするガイド
部１１として形成されている。ガイド部１１は、複数の凸条部１２から構成されている。
凸条部１２は、レンズシートＬ１のレンチキュラーレンズ６と異なる所定ピッチのレンチ
キュラーレンズを有する所定の記録媒体としてのガイド部用レンズシート（不図示）のレ
ンチキュラーレンズと同一形状に形成されている。つまり、凸条部１２は、トレイ１００
に換えてトレイ支持ガイド２に載置され搬送されるレンズシートであるガイド部用レンズ
シートのレンチキュラーレンズと同一形状に形成されている。すなわち、ガイド部用レン
ズシートのレンチキュラーレンズを形成するレンズ要素と同一形状である凸条部１２が、
ガイド部用レンズシートのレンチキュラーレンズの配設ピッチと同一ピッチでトレイ１０
０の幅と同一かまたはその幅よりも広い幅に亘って並設されている。つまり、凸条部１２
は、ガイド部用レンズシートのレンチキュラーレンズの線状方向に沿ってこのレンチキュ
ラーレンズに係合可能な係合部となっている。
【００３０】
本実施の形態では、ガイド部用レンズシートとレンズシートＬ１とは、ガイド部用レン
ズシートのレンチキュラーレンズの配設ピッチが、レンズシートＬ１のレンチキュラーレ
ンズ６よりも大きなピッチのものとなっている。また、凸条部１２の長手方向、すなわち
、凸条部１２の母線（稜線）方向は、レンズシートＬ１の所定の搬送方向、すなわち、主
走査方向に直交する方向に沿って形成されている。
【００３１】
本実施の形態では、ガイド部用レンズシートをこのガイド部用レンズシートのレンチキ
ュラーレンズの側を上方に向けてトレイ支持ガイド２の上面に貼り付けることで、ガイド
部１１を構成することとしている。このように、ガイド部１１を、ガイド部用レンズシー
トをトレイ支持ガイド２に貼り付けることで形成するようにしたため、容易にトレイ支持
ガイド２にガイド部１１を設けることができる。なお、トレイ支持ガイド２を樹脂成形に
より作成する場合には、成形金型に予めガイド部１１に対応する型面を形成して、ガイド
部１１をトレイ支持ガイド２と一体に成形するようにしてもよい。また、トレイ支持ガイ
ド２を金属板により形成してもよい。この場合には、金属板を切削加工することによりガ
イド部１１を形成することができる。
【００３２】
トレイ１００は、図２に示すように、全体として矩形の板状体を呈し、載置されるレン
ズシートＬ１と同一形状もしくはそれより大きな大きさであり、レンズシートＬ１の全面
を載置できる大きさとなっている。トレイ１００の上側の面、すなわち、レンズシートＬ
１を載置する載置面１３は、レンズシートＬ１のレンチキュラーレンズ６に係合し、レン
ズシートＬ１の位置決めを行うための複数の凸条部１４を有する係合部１５として形成さ
れている。一方、トレイ１００の下側の面には、前述したトレイ支持ガイド２に設けられ
るガイド部１１に係合する複数の凸条部１６を有する被ガイド部１７が設けられている。
【００３３】
係合部１５は、レンズシートＬ１のレンチキュラーレンズ６と同一形状に形成されてい
る。すなわち、凸条部１４は、レンチキュラーレンズ６を形成するレンズ要素１８と同一
形状の線条体を呈し、レンチキュラーレンズ６の配設ピッチと同一ピッチでレンズシート
Ｌ１の幅よりも広い幅に亘って並設されている。凸条部１４の長手方向、すなわち、凸条
部１４の母線（稜線）方向は、レンズシートＬ１の所定の搬送方向、すなわち、主走査方
向に直交する方向に沿って形成されている。
【００３４】
被ガイド部１７は、ガイド部１１と同一形状に形成されている。すなわち、凸条部１６
は、ガイド部１１の凸条部１２と同一形状の線条体を呈し、凸条部１２の配設ピッチと同
一ピッチでトレイ１００の下面の幅全体に亘って並設されている。なお、凸条部１６の長
手方向、すなわち、凸条部１６の母線（稜線）方向は、係合部１５の凸条部１４と同一の
方向、すなわち、主走査方向に直交する方向に沿って形成されている。
【００３５】
ところで、トレイ１００の係合部１５は、本実施の形態では、レンチキュラーレンズ６
を上面に向けたレンズシートＬ１をトレイ１００の上面に貼り付けることで構成すること
としている。このように、係合部１５をレンズシートＬ１により形成することで、容易に
トレイ１００に係合部１５を設けることができる。また、被ガイド部１７についても、係
合部１５と同様に、ガイド部用レンズシートのレンチキュラーレンズの側を下方に向けて
下面に貼り付けることで構成することとしている。なお、トレイ１００を樹脂成形により
作成する場合には、成形金型に予め係合部１５と被ガイド部１７に対応する型面を形成し
て、係合部１５と被ガイド部１７をトレイ１００と一体に成形するようにしてもよい。ま
た、トレイ１００を金属板により形成してもよい。この場合、金属板を切削加工すること
により係合部１５および被ガイド部１７を切削加工することにより係合部１５および被ガ
イド部１７を形成することができる。
【００３６】
記録ヘッド５の前後には、給紙ローラ３と排紙ローラ４が配設されている。給紙ローラ
３と排紙ローラ４は、それぞれ給紙用モータ１９と排紙用モータ２０により回転駆動され
る。給紙ローラ３の上側には、給紙ローラ３の回転に追従して回転する給紙側従動ローラ
２１が左右方向に例えば３つ備えられている。また、排紙ローラ４の上側には、排紙ロー
ラ４に追従して回転する排紙側従動ローラ２２が左右方向に例えば３つ備えられている。
したがって、給紙開口部８から記録装置２００に供給されたレンズシートＬ１は、これを
載置するトレイ１００と共に給紙ローラ３と給紙側従動ローラ２１との間、および排紙ロ
ーラ４と排紙側従動ローラ２２との間に挟まれて、給紙ローラ３と排紙ローラ４の回転を
受けて、後方から前方に向かって搬送される。そして、搬送されるレンズシートＬ１に対
して記録ヘッド５により記録が行われた後、排紙開口部９から記録装置２００の外部に排
出される。
【００３７】
排紙ローラ４の前方には、記録ヘッド５により記録が行われ排紙開口部９から排出され
るトレイ１００の下面を支持する排紙側トレイ支持ガイド２３が設けられている。この排
紙側トレイ支持ガイド２３は、排紙ローラ４から送り出された搬送用トレイ１００が下方
に撓み被ガイド部１７の凸条部１４がガイド部１１の凸条部１２から外れてしまわないよ
うに、その上面２４がトレイ支持ガイド２の載置面１３と同一の高さかまたはやや低い高
さとされ、また前後方向の長さについても十分長く設定されている。
【００３８】
給紙ローラ３と排紙ローラ４との間の上方には、記録ヘッド５が配設されている。記録
ヘッド５は、キャリッジ２５の下面に取り付けられ、本実施の形態では、インクを吐出す
るインクジェット型の記録ヘッドとして構成されている。キャリッジ２５は、左右方向に
延設されるキャリッジガイド２６に移動可能に支持され、また、キャリッジ用モータ２７
により駆動されるタイミングベルト２８に取り付けられている。このため、キャリッジ用
モータ２７によりタイミングベルト２８を左右方向に回転駆動すると、キャリッジ２５と
共に記録ヘッド５はキャリッジガイド２６に沿って左右方向に移動することができる。
【００３９】
したがって、給紙ローラ３と排紙ローラ４によるレンズシートＬ１の搬送方向である副
走査方向への搬送を制御すると共に、記録ヘッド５の移動方向である主走査方向、すなわ
ち左右方向への移動についても制御することで、記録ヘッド５をレンズシートＬ１の所定
位置に移動することができ、レンズシートＬ１の所望の位置に画像を記録することができ
る。なお、レンズシートＬ１は、画像形成層７の側を記録ヘッド５に対向され、レンチキ
ュラーレンズ６の側がガイド部１１に接触するようにトレイ支持ガイド２に載置する。つ
まり、記録ヘッド５は画像形成層７に対して記録を行い、レンチキュラーレンズ６の側か
ら画像形成層７に記録された画像を視認することができる記録物が製作されることになる
。
【００４０】
上述したように構成される記録装置２００によるレンズシートＬ１への記録は次のよう
に行う。先ず、レンズシートＬ１を、レンチキュラーレンズ６の側をトレイ１００の上に
向けて載置する。係合部１５とレンチキュラーレンズ６とは同一形状であるため、トレイ
１００に載置されたレンズシートＬ１は、レンチキュラーレンズ６が係合部１５に噛み合
う。そのため、レンズシートＬ１は、係合部１５により左右方向（主走査方向）の位置決
めが行われた状態となる。すなわち、係合部１５は、トレイ１００に載置されたレンズシ
ートＬ１のレンチキュラーレンズ６の線状方向に沿ってレンチキュラーレンズ６に係合す
る係合部を構成している。つまり、レンズシートＬ１は、係合部１５によりトレイ１００
の上で回転してしまったり左右に動いてしまわないように位置決めされることになる。
【００４１】
そしてレンズシートＬ１が載置されたトレイ１００を、被ガイド部１７がトレイ支持ガ
イド２に設けられたガイド部１１に係合するように、トレイ支持ガイド２上に載置する。
ガイド部１１と被ガイド部１７とは、同一形状の凸条部１２と凸条部１６とが、互いに同
一の配設ピッチで並設されている。そのため、凸条部１２と凸条部１６は左右方向におい
てがたつくことなく、かつ、前後方向への移動が可能な状態で係合し合うことになる。こ
のようにガイド部１１の凸条部１２に被ガイド部１７の凸条部１６を嵌合させるようにト
レイ１００をトレイ支持ガイド２に載置することで、トレイ１００は、トレイ支持ガイド
２に対して左右方向に位置決めされるとともにトレイ支持ガイド２の上で回転してしまう
ことを防止される。
【００４２】
したがって、給紙ローラ３および排紙ローラ４により搬送されるトレイ１００は、主走
査方向に直交する方向、すなわち副走査方向に沿って一定の搬送方向が維持された状態で
搬送されることになる。また、上述したように、トレイ１００に載置されているレンズシ
ートＬ１は、係合部１５によりトレイ１００の上で左右方向に移動したり回転してしまう
ことのないように位置決めされている。そのため、レンズシートＬ１は、一定の決まった
方向に搬送されることになり、記録ヘッド５によるレンズシートＬ１への記録を所定の位
置に行うことができる。
【００４３】
ところで、トレイ支持ガイド２に設けられるガイド部１１はレンズシートＬ１のレンチ
キュラーレンズ６よりも大きなピッチのレンチキュラーレンズを有するガイド部用シート
レンズのレンチキュラーレンズと同一の形状に形成されている。したがって、トレイ１０
０に替えて、ガイド部用シートレンズをレンチキュラーレンズの側のガイド部１１に向け
てトレイ支持ガイド２の上に載置すると、ガイド部用レンズシートのレンチキュラーレン
ズとガイド部１１とは互いに噛み合い、ガイド部用レンズシートはガイド部１１により左
右方向（主走査方向）の位置決めが行われた状態となる。つまり、ガイド部用シートレン
ズを給紙ローラ３と排紙ローラ４によって搬送すると、ガイド部１１によりガイド部用レ
ンズシートのレンチキュラーレンズが主走査方向に直交する方向（副走査方向）にガイド
された状態で搬送される。そのため、ガイド部用レンズシートをトレイ支持ガイド２に直
接載置し搬送し、記録ヘッド５により記録を行う場合にも、ガイド部用レンズシートへの
記録を所定の位置に行うことができる。
【００４４】
このように、記録装置２００においては、ガイド部１１の凸条部１２をガイド部用レン
ズシートのレンチキュラーレンズと同一形状とすることで、ガイド部１１を利用してガイ
ド部用レンズシートを所定の搬送方向に沿って搬送することができ、ガイド部用レンズシ
ートへの記録を所定の位置に行うことができる。
【００４５】
また、トレイ１００の係合部１５をガイド部用レンズシートのレンチキュラーレンズと
異なるピッチのレンチキュラーレンズに係合するように構成することで、ガイド部用レン
ズシートとは異なるピッチのレンチキュラーレンズを有するレンズシートについては、ト
レイ１００に載置して搬送することで、ガイド部用レンズシートと異なるピッチのレンチ
キュラーレンズを有するレンズシートについても所定の搬送方向に沿って搬送することが
でき、所定の位置に記録を行うことができる。つまり、一台の記録装置２００で、異なる
ピッチのレンチキュラーレンズを有するレンズシートをそれぞれ所定の搬送方向に搬送さ
せながら記録を行うことができる。
【００４６】
具体的には、例えば、ガイド部用レンズシートを、１インチ毎に６０本のレンズ要素が
配設される６０ＬＰＩ（Ｌｅｎｓ  Ｐｅｒ  Ｉｎｃｈ）のレンチキュラーレンズを有する
レンズシートとし、ガイド部１１を６０ＬＰＩのレンチキュラーレンズに対応させ、また
、被ガイド部１７についてもこのガイド部１１に対応したものとする。そして、係合部１
５について、１００ＬＰＩのレンチキュラーレンズを有するレンズシートＬ１のレンチキ
ュラーレンズ６に対応したものとする。これにより、６０ＬＰＩのレンズシートに対して
記録を行う場合には、トレイ支持ガイド２に直接レンズシートをガイドさせることで、記
録位置精度の高い記録を行うことができる。また、１００ＬＰＩのレンズシートに対して
記録を行う場合には、トレイ１００に該レンズシートを載置して記録を行うことで記録位
置精度の高い記録を行うことができる。したがって、トレイ１００を被ガイド部１７につ
いては、６０ＬＰＩとし、係合部１５については、記録を希望するピッチのレンチキュラ
ーレンズに対応したものを、レンチキュラーレンズのピッチ毎に準備しておくことで、一
台の記録装置２００で、複数のピッチのレンチキュラーレンズのレンズシートに記録を行
うことができる。
【００４７】
また、レンズシートＬ１をトレイ１００に載置して搬送することで、レンズシートＬ１
と記録ヘッド５のインク吐出部との距離が短くなる。あるいは、レンズシートＬ１の厚さ
に応じてトレイ１００の厚さを所定の厚さとすることで、記録ヘッド５のインク吐出部と
のレンズシートＬ１との距離を所定の距離とすることができる。そのため、記録ヘッド５
から吐出されたインクがレンズシートＬ１に付着するまでに生じる位置ずれを小さく抑え
ることができる。
【００４８】
なお、係合部１５のピッチをガイド部１１と同一ピッチとしてもよい。すなわち、係合
部１５のピッチをガイド部用レンズシートのレンチキュラーレンズと同一のピッチに構成
してもよい。この場合にであっても、トレイ１００に載置されたレンズシートを所定の搬
送方向に沿って搬送することができ、所定の位置に記録を行うことができる。また、また
、レンズシートと記録ヘッド５のインク吐出部との距離が短くでき、記録ヘッド５から吐
出されたインクがレンズシートに付着するまでに生じる位置ずれを小さく抑えることがで
きる。
【００４９】
（搬送角度の検出）
ところで、ガイド部１１、被ガイド部１７、係合部１５が、レンズシートＬ１の所定の
搬送方向に正確に沿うように、すなわちガイド部１、被ガイド部１７、係合部１５が主走
査方向（給紙ローラ３および排紙ローラ４とに直交する方向）に対して直交するように設
けられている場合には、レンズシートＬ１の所定の位置に記録を行うことができる。一方
、ガイド部１１等が主走査方向に対して直交していない状態で設けられている場合には、
レンズシートＬ１は所定の搬送方向に対して斜行して搬送されてしまうことになる。その
結果、レンズシートＬ１は搬送されるにつれて、斜行方向に応じて左右いずれかに変位し
ながら搬送されることになり、レンズシートＬ１の所定の位置に記録を行うことができな
い。しかしながら、レンズシートＬ１は、ガイド部１１にガイドされた状態で搬送される
ため、一定の斜行状態が維持されたまま搬送される。つまり、レンズシートＬ１が搬送さ
れた距離とレンズシートＬ１が左方または右方に変位する量とは比例する。したがって、
ガイド部１１のガイド方向と所定の搬送方向との傾斜角を予め測定し、記録を行うための
記録用画像データを、この傾斜角に対応して補正することで、レンズシートＬ１が斜行し
て搬送されても、レンズシートＬ１の所定位置に記録を行うことができる。
【００５０】
傾斜角の測定の測定は次のようにして行うことができる。記録装置２００により、図３
に示すように、レンズシートＬ１に対して検査用の画像である複数本のラインＬｎから構
成される検査用画像ＣＭを記録する。これらのラインＬｎは、画像データ上では、ライン
Ｌｎの中の中心のラインＬＡを所定の搬送方向に沿ったラインとし、このラインＬＡを中
心に、このラインＬＡの左右に有るラインＬｎを左右で異なる方向に同一角度ずつ順に傾
斜を累積させたものとする。
【００５１】
例えば、ラインＬＡよりも右側のラインＬｎは、搬送方向に向かって時計回りに０．０
１度刻みで順に傾斜角を増すように設定し、ラインＬＡよりも左側のラインＬｎは、搬送
方向に向かって反時計回りに０．０１度刻みで順に傾斜角を増すように設定する。このよ
うな検査用の画像データに基づいて、ガイド部１１にガイドされながら搬送されるレンズ
シートＬ１に検査用画像ＣＭを記録する。そして、レンズシートＬ１に記録された検査用
画像ＣＭをレンチキュラーレンズ６の側から見ると、図４に示すように、ラインＬｎの中
でレンチキュラーレンズ６のレンズ要素１８の母線（稜線）に沿って記録されているライ
ンＬＢについては、連続した１本のラインとして視認することができる。他方、レンズ要
素１３の母線（稜線）に沿って記録されていないラインＬｎについては複数のレンズ要素
１８にまたがって記録されるため、例えば、ラインＬＣ等のように不連続に左右のいずれ
かの方向に分断されたラインとなる。
【００５２】
したがって、ラインＬｎの中で、レンチキュラーレンズ６を介して１本のラインで見る
ことができるラインＬＢに対応するラインＬｎの傾斜角を、ガイド部１１のガイド方向と
所定の搬送方向との傾斜角として測定できる。そして、この測定された傾斜角に基づいて
記録用画像データを回転させた補正画像データを生成する。レンズシートＬ１への画像の
記録をこの補正画像データに基づいて行うことで、レンズシートＬ１が斜行して搬送され
る場合も所定位置に画像を記録することができる。
【００５３】
なお、上述のガイド部１１のガイド方向の傾斜角の測定は、０．０１度刻みの傾斜角で
ラインが形成された１種類の検査用画像を用いて行ったが、傾斜角の変化量が違う２種類
の検査用画像を用いてガイド部１１のガイド方向の傾斜角を測定してもよい。例えば、０
．０５度刻みの傾斜角でラインが形成された第１の検査用画像をレンズシートＬ１に記録
し、この検査用画像をレンチキュラーレンズ６を介して見たときに最も１ラインの長さが
長いラインを特定する。次いで、別のレンズシートＬ１にこのラインの傾斜角を中心にし
て左右に０．０１度刻みの傾斜角でラインが形成される第２の検査用画像を記録する。そ
して、第２の検査用画像をレンチキュラーレンズ６を介して見たときに最も１ラインの長
さが長いラインを特定する。このラインの傾斜角を、ガイド部１１のガイド方向と所定の
搬送方向との傾斜角として測定することができる。
【００５４】
このように、２種類の検査用画像を用いてガイド部１１のガイド方向の傾斜角を測定す
ることで、測定できる傾斜角の範囲を広げるとともに、精度の高い測定を行うことができ
る。つまり、０．０１度刻みの傾斜角でラインが形成される検査用画像だけの場合は、中
心のラインの両側に０．０１度刻みのラインの本数倍までしか傾斜角の測定を行うことが
できない。しかしながら、０．０５度刻みの傾斜角でラインが形成される検査用画像を使
用することで、広い範囲の傾斜角を測定でき、さらにその次に、０．０１度刻みの傾斜角
でラインが形成される検査用画像を使用することで、精度の高い傾斜角の測定を行うこと
ができる。検査用画像の種類を増やすことで、さらに広い範囲でかつ精度の高い搬送傾斜
角の測定を行うことができる。
【００５５】
（第２の実施の形態）
次に、本発明の第２の実施の形態に係るトレイ３００について、図５を参照しながら説
明する。
【００５６】
図５は、トレイ３００の概略の構成を示す概略構成図であり、トレイ３００の構成を解
り易くするために、トレイ３００、レンズシートＬ２および記録装置２００を別々に分け
て描いた分解斜視図である。なお、上述の第１の実施の形態で説明したのと同様の構成に
ついては、同一の符号を付すこととし、その説明を省略する。
【００５７】
第２の実施の形態に係るトレイ３００は、いわゆる斜めレンズシートと言われるレンズ
シートＬ２を載置するためのものである。斜めレンズシートとは、レンチキュラーレンズ
がその線条方向をレンズシートの側辺に傾斜させて配設されているものである。つまり、
本実施の形態のレンズシートＬ２は矩形を呈し、そして、レンチキュラーレンズ３０は、
レンズ要素３１がレンズシートＬ２の側辺に対して傾斜した角度で設けられている斜めレ
ンチキュラーレンズとなっている。
【００５８】
このようなレンズシートＬ２を所定の搬送方向に沿って凸条部１２が形成されるガイド
部１１にガイドさせて搬送させる場合には、図５に点線部分Ｒで示すように、レンズ要素
３１がガイド部１１に係合するように、レンズシートＬ２を斜めにトレイ支持ガイド２に
載置する必要がある。このようにレンズシートＬ２を斜めにトレイ支持ガイド２に載置す
ると、レンズシートＬ２が記録装置２００に占める左右方向および前後方向の長さが長く
なるため、トレイ支持ガイド２からレンズシートＬ２がはみ出てしまったり、記録ヘッド
５の記録領域からレンズシートＬ２がはみ出てしまう問題が発生する場合がある。
【００５９】
そのため、レンズシートＬ２がはみ出ないようにはみ出てしまうことのないようにレン
ズシートＬ２を小さく裁断する等して加工する必要があり、大きな面積のレンズシートＬ
２に記録を行うことが出来なかったり、裁断の工数を要するという問題がある。そこで、
トレイ３００においては係合部３２がレンチキュラーレンズ３０と同一の形状で、かつ、
レンズ要素３１と同一の角度で傾斜した状態で設けられている。すなわち、係合部３２を
、レンチキュラーレンズ３０と同一の形状で、かつ、レンズ要素３１と同一の角度で傾斜
した凸条部３３により構成する。つまり、係合部３２の凸条部３３は、レンズシートＬ２
をその側辺が所定の搬送方向に沿う向きでトレイ３００に載置したときに、レンチキュラ
ーレンズ３０が係合する角度で備えられている。
【００６０】
したがって、レンズシートＬ２を、そのレンチキュラーレンズ３０が係合部３２に係合
するようにトレイ３００に載置すると、レンズシートＬ２は、トレイ３００の側辺にレン
ズシートＬ２の側辺が平行になるように配置されてトレイ３００に載置されることになる
。つまり、レンズシートＬ２は、トレイ３００からはみ出ることなくトレイ３００に載置
される。したがって、レンズシートＬ２の面積を有効使って記録を行うことができる。な
お、斜めレンズシートであるレンズシートＬ２についてもトレイ３００に載置して搬送す
ることで所定の搬送方向に沿って搬送することができ、所定の位置に記録を行うことがで
きる。
【００６１】
なお、凸条部３３をトレイ支持ガイド２の凸条部１２と左右方向に直交する角度、すな
わち主走査方向に沿う方向に形成してもよい。トレイ３００をこのような構成とした場合
には、搬送方向に対して直交する方向にレンチキュラーレンズの線条方向が形成されてい
るレンズシートを、係合部３２にレンチキュラーレンズを係合させた状態で搬送すること
ができる。
【００６２】
（変形例）
次に、本発明の第１の実施の形態に係るトレイ１００の変形例であるトレイ４００につ
いて、図６から図８を参照しながら説明する。
【００６３】
なお、上述の第１の実施の形態で説明したのと同様の構成については、同一の符号を付
すこととし、その説明を省略する。
【００６４】
上述した第１の実施の形態に係る記録装置２００において、レンズシートＬ１に換えて
レンチキュラーレンズの設けられていないコピー用紙や写真用紙等のいわゆる普通紙を載
置した場合であっても、これら普通紙が載置面１３の上で回転してしまわないようにする
ことで、普通紙に対しても所定位置に記録を行うことができる。そこで、図６に示すよう
にトレイ１００においては、その後端縁４０に、レンズシートＬ１を載置した場合にレン
ズシートＬ１の後端の側縁に当接する当接手段として左右方向に長い凸条のガイド体４１
を設けている。普通紙Ｐをこのガイド体４１に沿わせてトレイ４００に載置することで、
普通紙Ｐはガイド体４１により載置面１３上で回転してしまうことを防止され、トレイ４
００に載置された状態で搬送される。そのため、普通紙Ｐは、一定の決まった方向に搬送
されることになり、記録ヘッド５による普通紙Ｐへの記録を所定の位置に行うことができ
る。普通紙Ｐに換えてレンズシートＬ１をこのガイド体４１に沿わせてトレイ４００に載
置した場合には、レンズシートＬ１は係合部１５による位置決めに加えてこのガイド体４
１によっても位置決めされるため、より確実な位置決めが行われることになる。
【００６５】
なお、図７に示すようにガイド体４１の取り付け位置を普通紙Ｐのサイズに応じて換え
るようにしてもよい。この場合、ガイド体４１に差込ボス４２を設け、トレイ４００の側
に差込ボス４２が嵌るボス穴４３を普通紙Ｐのサイズに応じて設けることで、ガイド体４
１の取り付け位置を載置される普通紙Ｐのサイズに応じて簡単に変えることができる。図
８は、図７に示す部分Ａの拡大図であり、ボス穴４３が形成される部分の様子を示す。ボ
ス穴４３は、係合部１５の一部を欠いて形成する平面部分４４に形成されている。
【００６６】
また、ガイド体４１は載置される普通紙Ｐの一辺だけでなく複数の辺に対応するように
複数のガイド部を設けることで、普通紙Ｐの搬送用トレイ１上での位置決めを確実に行う
ことができる。また、ガイド体４１は普通紙Ｐの外周の形状が例えば曲線であればこの曲
線に合う形状とすることで、普通紙Ｐの形状に応じた確実な位置決めが行を行うことがで
きる。
【００６７】
上述の各実施の形態において、ガイド部１１はトレイ支持ガイド２の左右方向の幅全域
に亘って形成され、また、被ガイド部１７もトレイ１００（トレイ３００，トレイ４００
）の左右方向の幅全域に亘って形成されている。しかしながら、被ガイド部１７がガイド
部１１にガイドされるためには、少なくともいずれか一方を２本、そして他方を１本とし
、これらの凸条部１２と凸条部１６とが左方向と右方向の両方向で係合し合うようにすれ
ば足りる。凸条部１２と凸条部１６との本数を増やし、互いに係合する部分を増やすこと
で、トレイ１００（トレイ３００，トレイ４００）のガイド部１１によるガイドは確実な
ものとなる。
【００６８】
なお、ガイド部１１を複数本の凸条部１２により構成する場合には、凸条１２の間隔は
、ガイド部用レンズシートのレンチキュラーレンズの配設ピッチの整数倍とする。これに
より、ガイド部１１にガイド部用レンズシートを載置したときに、ガイド部用レンズシー
トの下側に位置する複数の凸条部１２を全てガイド部用レンズシートに係合させることが
でき、ガイド部用レンズシートとガイド部１１との係合状態を確実なものとすることがで
きる。
【００６９】
また、上述の第１の実施の形態においては、係合部１５はレンズシートＬ１の左右方向
の幅全域に亘って形成したが、少なくとも１本または数本の凸条部１４により構成しても
よい。係合部１５を複数本の凸条部１４により構成する場合には、凸条部１４の間隔は、
レンズシートＬ１のレンチキュラーレンズ６の配設ピッチの整数倍とする。これにより、
トレイ１００にレンズシートＬ１を載置したときに、レンズシートＬ１の下側に位置する
複数の凸条部１４を全てレンズシートＬ１に係合させることができ、レンズシートＬ１と
係合部１５との係合状態を確実なものとすることができる。
【００７０】
また、上述の第２の実施の形態においては、係合部３２はレンズシートＬ２の全面に亘
って形成したが、少なくとも１本または数本の凸条部３３により構成してもよい。係合部
３２を複数本の凸条部３３により構成する場合には、凸条部３３の間隔は、レンズシート
Ｌ２のレンチキュラーレンズ３０の配設ピッチの整数倍とする。これにより、トレイ３０
０にレンズシートＬ２を載置したときに、レンズシートＬ２の下側に位置する複数の凸条
部３３を全てレンズシートＬ２に係合させることができ、レンズシートＬ２と係合部３２
との係合状態を確実なものとすることができる。
【００７１】
また、各実施の形態において、係合部１５は、凸形状の凸条部１４とし、また、係合部
３２についても、凸形状の凸条部３３としたが、図９に示すように、レンチキュラーレン
ズＬ１あるいはレンチキュラーレンズＬ２と同一の形状の凹条５０を係合部１４あるいは
係合部３２としてもよい。また、ガイド部１１と被ガイド部１７についはいずれか一方を
凹部としてもよい。
【００７２】
上述したトレイ１００には、図２に示すように、トレイ１００の載置面１３にシリコー
ン接着剤等の再粘着性を有する粘着剤を塗布し粘着面２９を形成し、載置面１３に載置さ
れるレンズシートＬ１がこの粘着面２９に貼着されるようにすることで、レンズシートＬ
１の位置決めをより確実となるようにしてもよい。また、係る粘着面２９は、トレイ３０
０、あるいはトレイ４００についても設けてもよい。特に、トレイ４００においては、普
通紙Ｐが載置された場合には、普通紙Ｐは係合部１０に係合しないため、ガイド体４１に
よる位置決めに併せて粘着面２９によって固定することで、普通紙Ｐをより確実に位置決
めすることができる。
【００７３】
トレイ１００，３００，４００は、図１０（Ａ）に示すように、例えば、２枚のレンズ
シートＬ３，Ｌ４を接着層５１を挟んで互いに貼り合わされることで構成することができ
る。しかしながら、貼り合わされるレンズシートが薄く剛性が小さい場合には、トレイ支
持ガイド２上を搬送される際に撓みを生じ、記録ヘッド５による記録位置を正確なものと
することができない問題が発生することがある。そこで、図１０（Ｂ）に示すように、２
枚のレンズシートＬ３，Ｌ４の間に、接着層５１を介してステンレス等の金属、アクリル
、ＰＥＴ（ポリエチレンテレフタラート）あるいはＰＥＴＧ（非結晶性ＰＥＴコポリマー
）等の樹脂より形成される薄板５２を補強部材として挟んでトレイ１００，３００，４０
０を構成するようにしてもよい。このようにトレイ１００，３００，４００を構成するこ
とで、トレイ１００，３００，４００の撓みを抑えることができ、記録ヘッド５による記
録位置を正確なものとすることができる。
【００７４】
なお、ガイド部１１と被ガイド部１７の少なくとも一方の表面にフッ素樹脂等の低摩擦
材をコーティングすることで、トレイ１００（トレイ３００、トレイ４００）とガイド部
１１との間の摩擦が低くなり、トレイ１００（トレイ３００、トレイ４００）の搬送をス
ムーズに行うことができ、また、ガイド部１１および被ガイド部１７の耐摩耗性を向上す
ることができる。
【００７５】
上述の各実施の形態に説明した記録装置２００は、記録ヘッド５がレンズシートＬ１，
Ｌ２の搬送方向と直交する方向に移動する形式のものであるが、記録ヘッドが移動しない
いわゆるラインヘッドを用いた記録装置についても本発明を用いることができる。この場
合、記録ヘッド６の移動方向である主走査方向は、ラインヘッドの長手方向の方向に対応
する方向となる。
【図面の簡単な説明】
【００７６】
【図１】本発明の第１の実施の形態に係る記録装置の後方斜視図である。
【図２】本発明の第１の実施の形態に係るトレイの構成を示す斜視図である。
【図３】検査用画像の記録内容を示す図である。
【図４】検査用画像をレンチキュラーレンズの側から見たときの画像を示す図である。
【図５】本発明の第２の実施の形態に係るトレイの構成を示す斜視図である。
【図６】第１の変形例に係る記録装置およびトレイの後方斜視図である。
【図７】図６に示すトレイの変形例を示す後方斜視図である。
【図８】図６の部分Ａの拡大図である。
【図９】係合部、ガイド部、被ガイド部の形状の変形例を示す図である。
【図１０】トレイの構成を示す断面図である。
【符号の説明】
【００７７】
６，３０  ・・・  レンチキュラーレンズ（他のレンチキュラーレンズ）    １１  ・・
・  ガイド部    １５，３２  ・・・  係合部    １７  ・・・  被ガイド部    ２９  
・・・  粘着部（粘着手段）    ５２  ・・・  薄板（補強部材）    ４１  ・・・  ガ
イド体（当接手段）    １００，３００  ・・・  トレイ（記録媒体搬送用トレイ）    
２００  ・・・  記録装置    Ｌ１，Ｌ２  ・・・  レンズシート（他の記録媒体）
【図１】
0005141177.tif 000002
【図２】
0005141177.tif 000003
【図３】
0005141177.tif 000004
【図４】
0005141177.tif 000005
【図５】
0005141177.tif 000006
【図６】
0005141177.tif 000007
【図７】
0005141177.tif 000008
【図８】
0005141177.tif 000009
【図９】
0005141177.tif 000010
【図１０】
0005141177.tif 000011